Podtech/llm-jp-corpus-v4-ja_patent huggingface dataset:
【手続補正書】
【提出日】令和2年2月13日(2020.2.13)
【手続補正１】
【補正対象書類名】特許請求の範囲
【補正対象項目名】請求項１５
【補正方法】変更
【補正の内容】
【請求項１５】
前記主部分と前記円錐部分は、同じ部材から一緒に一部材として構成されていること
を特徴とする、請求項１〜１４のいずれか一項に記載のウェーブジェネレータ。
【手続補正２】
【補正対象書類名】特許請求の範囲
【補正対象項目名】請求項２６
【補正方法】変更
【補正の内容】
【請求項２６】
前記円錐部分と結合可能である又は結合されている保持要素が、前記差込受け要素を有すること
を特徴とする、請求項２２〜２５のいずれか一項に記載のウェーブジェネレータ。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
金属ナノ粒子；
少なくとも１つの芳香族炭化水素溶媒であって、ここで前記少なくとも１つの芳香族炭化水素溶媒は、前記金属ナノ粒子と相溶性である溶媒；
少なくとも１つの脂肪族炭化水素溶媒であって、ここで前記少なくとも１つの脂肪族炭化水素溶媒は前記金属ナノ粒子と相溶性である溶媒を含むインク組成物であって；
ここで前記少なくとも１つの芳香族炭化水素溶媒が、フェニルシクロヘキサンであり、
ここで前記少なくとも１つの脂肪族炭化水素溶媒が、エチルシクロヘキサンであり、
ここで前記インク組成物は、前記インク組成物の総重量に基づいて約４５重量％を超える金属含有量を有し；
ここで前記インク組成物は、約２０〜約３０℃の温度において、約５〜約３０センチポイズの粘度を有するインク組成物。
【請求項２】
前記金属ナノ粒子が、銀、コバルト、銅、ニッケル、金、パラジウムおよびこれらの組み合わせからなる群から選択される、請求項１に記載のインク組成物。
【請求項３】
前記金属ナノ粒子が銀ナノ粒子である、請求項１に記載のインク組成物。
【請求項４】
前記金属ナノ粒子が、前記インク組成物の総重量に基づいて、約４５重量％を超えて約８０重量％の量で存在する、請求項１に記載のインク組成物。
【請求項５】
前記金属ナノ粒子が銀ナノ粒子であり、前記銀ナノ粒子が、前記インク組成物の総重量に基づいて、約４５重量％を超えて約８０重量％の量で存在する、請求項１に記載のインク組成物。
【請求項６】
２５℃で１〜４００ｓ−１と４００〜４ｓ−１の速度掃引実行を用いた上昇剪断速度掃引試験において、剪断指数（４０〜４００）＝４０ｓ−１での粘度／４００ｓ−１の粘度であり、
前記インク組成物が、１．１０未満の剪断指数を有する、請求項１に記載のインク組成物。
【請求項７】
２５℃で１〜４００ｓ−１と４００〜４ｓ−１の速度掃引実行を用いた上昇剪断速度掃引試験において、剪断指数（４０〜４００）＝４０ｓ−１での粘度／４００ｓ−１の粘度であり、
前記インク組成物が、約０．９〜１．１０未満の剪断指数を有する、請求項１に記載のインク組成物。
【請求項８】
前記インク組成物は、約１〜約１０マイクロメ−トルの印刷された画像ライン厚さにおいて、約７５，０００〜約２５０，０００Ｓ／ｃｍの加熱後のバルク伝導率を有する印刷画像を提供する、請求項１に記載のインク組成物。
【請求項９】
前記金属ナノ粒子が銀ナノ粒子である、請求項１に記載のインク組成物。
【請求項１０】
２５℃で１〜４００ｓ−１と４００〜４ｓ−１の速度掃引実行を用いた上昇剪断速度掃引試験において、剪断指数（４０〜４００）＝４０ｓ−１での粘度／４００ｓ−１の粘度であり、
前記インク組成物が、約０．９〜１．１０未満の剪断指数を有する、請求項９に記載のインク組成物。
【請求項１１】
前記インク組成物は、約１〜約１０マイクロメ−トルの印刷された画像ライン厚さにおいて、約７５，０００〜約２５０，０００Ｓ／ｃｍのバルク伝導率を有する印刷画像を提供する、請求項９に記載のインク組成物。
【請求項１２】
インク組成物を調製するためのプロセスであって：
金属ナノ粒子；
少なくとも１つの芳香族炭化水素溶媒であって、ここで前記少なくとも１つの芳香族炭化水素溶媒は、前記金属ナノ粒子と相溶性である溶媒；
少なくとも１つの脂肪族炭化水素溶媒であって、ここで前記少なくとも１つの脂肪族炭化水素溶媒は前記金属ナノ粒子と相溶性である溶媒を合わせる工程を含み；
ここで前記少なくとも１つの芳香族炭化水素溶媒が、フェニルシクロヘキサンであり、
ここで前記少なくとも１つの脂肪族炭化水素溶媒が、エチルシクロヘキサンであり、
ここで前記インク組成物は、前記インク組成物の総重量に基づいて約４５重量％を超える金属含有量を有し；
ここで前記インク組成物は、約２０〜約３０℃の温度において、約５〜約３０センチポイズの粘度を有する、プロセス。
【請求項１３】
前記金属ナノ粒子が銀ナノ粒子である、請求項１２に記載のプロセス。
【請求項１４】
金属ナノ粒子；
少なくとも１つの芳香族炭化水素溶媒であって、ここで前記少なくとも１つの芳香族炭化水素溶媒は、前記金属ナノ粒子と相溶性である溶媒；
少なくとも１つの脂肪族炭化水素溶媒であって、ここで前記少なくとも１つの脂肪族炭化水素溶媒は、前記金属ナノ粒子と相溶性である溶媒を含む組成物を提供する工程であって；
ここで前記少なくとも１つの芳香族炭化水素溶媒が、フェニルシクロヘキサンであり、
ここで前記少なくとも１つの脂肪族炭化水素溶媒が、エチルシクロヘキサンであり、
ここで前記インク組成物は、前記インク組成物の総重量に基づいて約４５重量％を超える金属含有量を有し；ここで前記インク組成物は、約２０〜約３０℃の温度において、約５〜約３０センチポイズの粘度を有する工程；
前記インク組成物を基材上に堆積させ、堆積された特徴を形成する工程；および
場合により、前記基材上に堆積された特徴を加熱して、前記基材上に伝導性特徴を形成する工程を含むプロセス。
【請求項１５】
前記インク組成物を堆積する工程が、空圧エアロゾル印刷を用いて堆積する工程を含む、請求項１４に記載のプロセス。
【請求項１６】
前記金属ナノ粒子が銀ナノ粒子である、請求項１４に記載のプロセス。
【請求項１７】
前記インク組成物が、エアロゾル印刷のためのインク組成物を含む、請求項１に記載のインク組成物。
【請求項１８】
前記金属ナノ粒子が、銀ナノ粒子であり、前記銀ナノ粒子が、前記インク組成物の総重量に基づいて、約８０重量％の量で存在する、請求項１に記載のインク組成物。
【請求項１９】
前記金属ナノ粒子が、銀ナノ粒子であり、前記銀ナノ粒子が、前記インク組成物の総重量に基づいて、約８５重量％の量で存在する、請求項１に記載のインク組成物。
【請求項２０】
前記金属ナノ粒子が、Ｚ平均粒径およびＤ（１，０）数平均長さ直径を有し、ここでＺ平均／Ｄ（１，０）が約３未満である、請求項１に記載のインク組成物。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
発光層を成長させる前に、ＩｎＧａＮ層とＧａＮ層を有するｎ側超格子層を成長させるｎ側超格子層成長工程を含む窒化物半導体発光素子製造方法であって、
前記ｎ側超格子層成長工程は、１つのＩｎＧａＮ層を成長させるＩｎＧａＮ層成長工程と１つのＧａＮ層をｎ型不純物ガスを供給せずに成長させるＧａＮ層成長工程とを含む工程をｎサイクル繰り返すことを含み、
前記ｎ側超格子層成長工程において、第１サイクル〜第ｍサイクルにおける前記ＧａＮ層成長工程を、Ｎ２ガスを含みＨ２ガスを含まないキャリアガスを用いて行い、第（ｍ＋１）サイクル〜第ｎサイクルにおける前記ＧａＮ層成長工程をキャリアガスとしてＨ２ガスを含むガスを用いて行うことを特徴とする窒化物半導体発光素子の製造方法。
【請求項２】
前記窒化物半導体発光素子は、発光ピーク波長が５００〜５７０ｎｍの範囲にある請求項１に記載の窒化物半導体発光素子の製造方法。
【請求項３】
ｎが２０以上４０以下である請求項１又は２に記載の窒化物半導体発光素子の製造方法。
【請求項４】
（ｎ−ｍ）が１以上４以下である請求項３に記載の窒化物半導体発光素子の製造方法。
【請求項５】
（ｎ−ｋ）が２以上５以下である請求項３又は４に記載の窒化物半導体発光素子の製造方法。
【請求項６】
ｍの値がｋの値よりも大きい請求項１〜５のいずれか１つに記載の窒化物半導体発光素子の製造方法。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
フェイスダウン実装が可能なチップサイズパッケージ型の半導体装置であって、
互いに背向する第１主面および第２主面を有し、シリコン、窒化ガリウムまたは炭化ケイ素からなる半導体層と、
互いに背向する第３主面および第４主面を有し、前記第３主面が前記第２主面に接触して形成され、前記半導体層よりも厚く、第１の金属材料からなる第１の金属層と、
互いに背向する第５主面および第６主面を有し、前記第５主面が前記第４主面に接触して形成され、前記第１の金属材料よりもヤング率の大きい第２の金属材料からなる第２の金属層と、
前記半導体層の第１の領域に形成された第１の縦型電界効果トランジスタと、
前記半導体層において、前記第１の領域と前記第１主面に沿った方向で隣接する第２の領域に形成された第２の縦型電界効果トランジスタと、を有し、
前記第１の縦型電界効果トランジスタは前記半導体層の前記第１主面側に第１のソース電極および第１のゲート電極を有し、
前記第２の縦型電界効果トランジスタは前記半導体層の前記第１主面側に第２のソース電極および第２のゲート電極を有し、
前記第１の金属層は、前記第１の縦型電界効果トランジスタおよび前記第２の縦型電界効果トランジスタの共通ドレイン電極として機能し、
前記第１のソース電極から前記共通ドレイン電極を経由した前記第２のソース電極までの双方向経路を主電流経路とする
半導体装置。
【請求項２】
前記第２の金属層の厚さは、２μｍ以上である、
請求項１に記載の半導体装置。
【請求項３】
前記第２の金属材料の線膨張係数は、前記第１の金属材料の線膨張係数より小さい
請求項１に記載の半導体装置。
【請求項４】
さらに、
前記第２の金属層を平面視した場合の前記第２の金属層の外周に、前記第５主面から前記第６主面に向かう方向に、前記第６主面から突出した第１突起部を有し、
前記第１突起部は、前記第１の金属材料および前記第２の金属材料の少なくとも一方を含む
請求項１に記載の半導体装置。
【請求項５】
前記第１突起部は、前記平面視における前記第２の金属層の外周の対向する２辺に形成されている
請求項４に記載の半導体装置。
【請求項６】
前記第１突起部の突出高さは、前記第２の金属層の厚さの１／３以上である
請求項４に記載の半導体装置。
【請求項７】
前記第１突起部の突出幅は、４μｍ以上である
請求項４に記載の半導体装置。
【請求項８】
さらに、
互いに背向する第７主面および第８主面を有し、前記第７主面が前記第６主面に接触して形成され、セラミック材料またはプラスチック材料からなる第１のカバー層を有する
請求項１に記載の半導体装置。
【請求項９】
さらに、
前記第１の金属層および前記第２の金属層の少なくとも一方の外周側面には、前記第１の金属材料と前記第２の金属材料との合成物が形成されている
請求項１に記載の半導体装置。
【請求項１０】
前記合成物は、前記第１の金属層および前記第２の金属層を平面視した場合における前記半導体装置の全周に渡り、前記外周側面に形成されている
請求項９に記載の半導体装置。
【請求項１１】
前記第３主面から前記第６主面に向かう方向において、前記合成物の中心位置は、前記第３主面から前記第６主面までの距離の半分の位置と前記第６主面の位置との間である
請求項９に記載の半導体装置。
【請求項１２】
前記半導体層を平面視した場合において、前記半導体層の外周は前記第１の金属層の外周から間隔を空けて内側に形成されている
請求項１に記載の半導体装置。
【請求項１３】
前記平面視において、前記半導体層の外周は、全周に渡り前記第１の金属層の外周から間隔を空けて内側に形成されている
請求項１２に記載の半導体装置。
【請求項１４】
前記間隔の長さは、１５μｍ以上である
請求項１２に記載の半導体装置。
【手続補正書】
【提出日】令和2年11月13日(2020.11.13)
【手続補正１】
【補正対象書類名】明細書
【補正対象項目名】００１９
【補正方法】変更
【補正の内容】
【００１９】
シース１６は、絶縁性の合成樹脂からなり、複数の電線１１，１２を一括して包囲する円筒形状であって、シース１６の後端側が除去された端末１６Ａを有し、シース１６の内部の複数の電線１１，１２が端末１６Ａの後方に引き出されている。充填部材１７は、例えば絶縁性の糸や紙テープ等を電線１１，１２とシース１６との間に詰め込んで形成されており、電線１１，１２とシース１６との間の隙間を埋めて電線１１，１２の位置を保持し、電線１１，１２の撓み等の変形を抑制する。シース１６に包囲された電線１１，１２は、充填部材１７の後端面から後方側に延びている。
【手続補正２】
【補正対象書類名】明細書
【補正対象項目名】００２４
【補正方法】変更
【補正の内容】
【００２４】
熱収縮チューブ１９は、加熱により収縮する筒状の部材であって、加熱前は、シース１６の端末部及びシース１６の端末部から引き出された複数の電線１１，１２を包囲する大きさであって、加熱後は収縮し、前端側（一端側）がシース１６の外周面に密着し、後端側（他端側）が外部に引き出された複数の電線１１，１２の外周面に密着する。熱収縮チューブ１９は、例えば、２層の合成樹脂材料からなるようにすることができ、外層１９Ｂは、例えば、ポリオレフィン樹脂及びその変成物とし、内層１９Ａは、例えば、ＥＶＡ（エチレンビニルアルコール），ＰＡ（ポリアミド），ポリエステル系接着剤等からなる接着剤とすることができる。接着剤は、加熱によって軟化又は溶融することにより接着性を発現する熱可塑性の接着剤とすることができる。なお、図２に示すように、内層１９Ａの前方側は、外層１９Ｂの前方にはみ出したはみ出し部１９ＡＡとされている。
【手続補正書】
【提出日】令和2年9月28日(2020.9.28)
【手続補正１】
【補正対象書類名】特許請求の範囲
【補正対象項目名】請求項１
【補正方法】変更
【補正の内容】
【請求項１】
遊技の進行を制御するメイン制御手段と、
獲得した電子メダルの数を管理可能な払出制御手段と、
リールを回転可能なスタートスイッチと、
払出制御手段が管理している電子メダルから、所定数の電子メダルをベット可能なベットスイッチと、
ベットされた電子メダルを払出制御手段に返却可能なキャンセルスイッチと、
リールを停止可能なストップスイッチと、
払出制御手段が管理している電子メダルを貸出装置に送信可能な計数スイッチと
を備え、
スタートスイッチは、メイン制御手段と電気的に接続されており、
ベットスイッチは、メイン制御手段と電気的に接続されており、
キャンセルスイッチは、メイン制御手段と電気的に接続されており、
ストップスイッチは、メイン制御手段と電気的に接続されており、
計数スイッチは、払出制御手段と電気的に接続されている
遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
遊技の進行を制御するメイン制御手段（５０）と、
獲得した電子メダルの数を管理可能な払出制御手段（１００）と、
リール（３１）を回転可能なスタートスイッチ（４１）と、
払出制御手段が管理している電子メダルから、所定数の電子メダルをベット可能なベットスイッチ（４０）と、
ベットされた電子メダルを払出制御手段に返却可能なキャンセルスイッチ（４６）と、
リールを停止可能なストップスイッチ（４２）と、
払出制御手段が管理している電子メダルを貸出装置に送信可能な計数スイッチ（４７）と
を備え、
スタートスイッチは、メイン制御手段と電気的に接続されており、
ベットスイッチは、メイン制御手段と電気的に接続されており、
キャンセルスイッチは、メイン制御手段と電気的に接続されており、
ストップスイッチは、メイン制御手段と電気的に接続されており、
計数スイッチは、払出制御手段と電気的に接続されている。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生するのに先立って、該受付期間が発生することを示唆する特定の前兆演出表示を表示可能な前兆演出実行手段と
を備え、
前記受付期間内において前記摸画像表示が表示されているなかで受付けがなされると、該受付けがなされたことに基づいて前記摸画像表示を視認し難くする消滅エフェクトが表示可能とされる遊技機であって、
前記特定の前兆演出表示は、前記受付期間が発生するタイミングに跨るかたちで実行可能とされており、
前記特定の前兆演出表示が前記摸画像表示の一部と重なるかたちで表示されているなかで前記操作手段に対する操作が受付けされると、該受付けに応じた受付後演出が実行開始されるが、該受付後演出が実行開始される時点において前記特定の前兆演出表示及び前記摸画像表示はいずれも非表示にされておらず、
前記消滅エフェクトが表示される時点において前記特定の前兆演出表示及び前記摸画像表示がいずれも表示状態にある場合、該消滅エフェクトは、前記特定の前兆演出表示及び前記摸画像表示の両方に対して前側から重なって見えるように表示可能とされ、
さらに、
前記特定の前兆演出表示及び前記摸画像表示の両方に対して前側から重なって見えるように前記消滅エフェクトが表示されている状況下において、前記摸画像表示は、前記特定の前兆演出表示よりも背後側に見えるように表示されており、
さらに、
前記特定の前兆演出表示及び前記摸画像表示の両方に対して前側から重なって見えるように前記消滅エフェクトが表示された場合、前記特定の前兆演出表示は、前記受付後演出が実行途中の状態にあるなかで非表示にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生するのに先立って、該受付期間が発生することを示唆する特定の前兆演出表示を表示可能な前兆演出実行手段と
を備え、
前記受付期間内において前記摸画像表示が表示されているなかで受付けがなされると、該受付けがなされたことに基づいて前記摸画像表示を視認し難くする消滅エフェクトが表示可能とされる遊技機であって、
前記特定の前兆演出表示は、前記受付期間が発生するタイミングに跨るかたちで実行可能とされており、
前記特定の前兆演出表示が前記摸画像表示の一部と重なるかたちで表示されているなかで前記操作手段に対する操作が受付けされると、該受付けに応じた受付後演出が実行開始されるが、該受付後演出が実行開始される時点において前記特定の前兆演出表示及び前記摸画像表示はいずれも非表示にされておらず、
前記消滅エフェクトが表示される時点において前記特定の前兆演出表示及び前記摸画像表示がいずれも表示状態にある場合、該消滅エフェクトは、前記特定の前兆演出表示及び前記摸画像表示の両方に対して前側から重なって見えるように表示可能とされ、
さらに、
前記特定の前兆演出表示及び前記摸画像表示の両方に対して前側から重なって見えるように前記消滅エフェクトが表示されている状況下において、前記摸画像表示は、前記特定の前兆演出表示よりも背後側に見えるように表示されており、
さらに、
前記特定の前兆演出表示及び前記摸画像表示の両方に対して前側から重なって見えるように前記消滅エフェクトが表示された場合、前記特定の前兆演出表示は、前記受付後演出が実行途中の状態にあるなかで非表示にされる
ことを特徴とする遊技機。
【手続補正４】
【補正対象書類名】明細書
【補正対象項目名】０００８
【補正方法】削除
【補正の内容】
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる特定操作手段と、
前記特定操作手段を摸した摸画像表示を表示可能な摸画像表示手段と、
前記特定操作手段に対する操作の受付けが許容される受付許容状態を発生可能であり、該受付許容状態において操作が受付けされると、該受付けがなされたことに基づいて受付後変化を実行可能な受付演出実行手段と、
前記受付許容状態が発生するのに先立って、該受付許容状態が発生することに関連した特定の前演出表示を表示可能な前演出実行手段と
を備え、
前記受付許容状態が発生するのに先立って、前記特定の前演出表示が表示される場合、該特定の前演出表示は、前記受付許容状態が発生するタイミングに跨るかたちで実行可能とされるようになっており、
前記特定の前演出表示が表示されているなかで前記特定操作手段に対する操作が受付けされると、該受付けに応じた受付後変化が実行開始されるが、該受付後変化が実行開始される時点において、前記特定の前演出表示は非表示にされておらず、該特定の前演出表示が非表示になるまでの間に該特定の前演出表示とは別の演出表示が表示され、該別の演出表示によって当該特定の前演出表示が視認し難くされるようになっており、
さらに、
前記受付許容状態として、特定の受付許容状態が用意されており、
前記特定の受付許容状態は、特定ＢＧＭが非抑制態様で可聴出力されているなかで発生する場合と、特定ＢＧＭが抑制態様または非可聴状態にされてから発生する場合との両方があるようになっており、
さらに、
前記特定の前演出表示は、前記受付許容状態が発生するタイミングに跨るかたちで実行可能とされ且つ該受付許容状態が終了するタイミングよりも前に非表示にされうるものであり、該特定の前演出表示が非表示にされているなかで前記特定操作手段に対する操作が受付けされた場合であっても前記別の演出表示は表示されるようになっており、
さらに、
前記別の演出表示によって前記特定の前演出表示が視認し難くされた場合、該特定の前演出表示は、前記受付けがなされたことに応じた受付後変化が実行途中の状態にあるなかで非表示にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる特定操作手段と、
前記特定操作手段を摸した摸画像表示を表示可能な摸画像表示手段と、
前記特定操作手段に対する操作の受付けが許容される受付許容状態を発生可能であり、該受付許容状態において操作が受付けされると、該受付けがなされたことに基づいて受付後変化を実行可能な受付演出実行手段と、
前記受付許容状態が発生するのに先立って、該受付許容状態が発生することに関連した特定の前演出表示を表示可能な前演出実行手段と
を備え、
前記受付許容状態が発生するのに先立って、前記特定の前演出表示が表示される場合、該特定の前演出表示は、前記受付許容状態が発生するタイミングに跨るかたちで実行可能とされるようになっており、
前記特定の前演出表示が表示されているなかで前記特定操作手段に対する操作が受付けされると、該受付けに応じた受付後変化が実行開始されるが、該受付後変化が実行開始される時点において、前記特定の前演出表示は非表示にされておらず、該特定の前演出表示が非表示になるまでの間に該特定の前演出表示とは別の演出表示が表示され、該別の演出表示によって当該特定の前演出表示が視認し難くされるようになっており、
さらに、
前記受付許容状態として、特定の受付許容状態が用意されており、
前記特定の受付許容状態は、特定ＢＧＭが非抑制態様で可聴出力されているなかで発生する場合と、特定ＢＧＭが抑制態様または非可聴状態にされてから発生する場合との両方があるようになっており、
さらに、
前記特定の前演出表示は、前記受付許容状態が発生するタイミングに跨るかたちで実行可能とされ且つ該受付許容状態が終了するタイミングよりも前に非表示にされうるものであり、該特定の前演出表示が非表示にされているなかで前記特定操作手段に対する操作が受付けされた場合であっても前記別の演出表示は表示されるようになっており、
さらに、
前記別の演出表示によって前記特定の前演出表示が視認し難くされた場合、該特定の前演出表示は、前記受付けがなされたことに応じた受付後変化が実行途中の状態にあるなかで非表示にされる
ことを特徴とする遊技機。
【手続補正４】
【補正対象書類名】明細書
【補正対象項目名】０００８
【補正方法】削除
【補正の内容】
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
複数種類のメディア情報のうち１種類以上のメディア情報を含む放送リソースを利用するアプリケーションと、前記アプリケーションによる前記放送リソースへの前記メディア情報単位のアクセス可否を定義する定義情報が格納されたアプリケーション情報テーブルを送信する送信部を有する
送信装置。
【請求項２】
請求項１に記載の送信装置であって、
前記アプリケーション情報テーブルは、マークアップ言語により記述される
送信装置。
【請求項３】
請求項１に記載の送信装置であって、
前記アプリケーション情報テーブルは、ＸＭＬ（eXtensible Markup Language）により記述される
送信装置。
【請求項４】
送信部が、複数種類のメディア情報のうち１種類以上のメディア情報を含む放送リソースを利用するアプリケーションと、前記アプリケーションによる前記放送リソースへの前記メディア情報単位のアクセス可否を定義する定義情報が格納されたアプリケーション情報テーブルを送信する
送信方法。
【手続補正２】
【補正対象書類名】明細書
【補正対象項目名】発明の名称
【補正方法】変更
【補正の内容】
【発明の名称】送信装置および送信方法
【手続補正３】
【補正対象書類名】明細書
【補正対象項目名】０００１
【補正方法】変更
【補正の内容】
【０００１】
本技術は、情報処理装置にアプリケーション管理テーブルを用いてアプリケーションを実行させる情報を送信する送信装置および送信方法に関する。
【手続補正４】
【補正対象書類名】明細書
【補正対象項目名】０００７
【補正方法】変更
【補正の内容】
【０００７】
本技術の目的は、放送リソースを利用するアプリケーションを用いたサービスの品質の向上を図ることの可能な送信装置および送信方法を提供することにある。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を受ける操作受け部と、
操作機会が付与される受付許容状態を発生可能であり、該受付許容状態において操作受付されると表示変化を生じさせる操作受付手段と、
前記受付許容状態において、操作機会が付与される対象である操作受け部を摸した摸画像表示を表示可能な摸画像表示手段と
を備え、
前記摸画像表示として、特別態様を含む複数態様が用意されており、
前記受付許容状態では、時間経過に応じて表示面積が減少する残り時間示唆描写が現れうるようになっており、
前記受付許容状態には、
第１条件が満たされた場合に発生するものであり、操作が検出されると当該受付許容状態に対応する第１表示変化を生じさせるが、操作が検出されないときには当該受付許容状態に対応する第１表示変化を生じさせない第１受付許容状態、
第２条件が満たされた場合に発生するものであり、操作が検出されると当該受付許容状態に対応する第２表示変化を生じさせ、操作が検出されないときにも当該受付許容状態に対応する第２表示変化を生じさせる第２受付許容状態、及び
第３条件が満たされた場合に発生するものであり、操作が検出されると当該受付許容状態に対応する第３表示変化を生じさせるが、操作が検出されないときには当該受付許容状態に対応する第３表示変化を生じさせない第３受付許容状態、
が含まれており、
前記摸画像表示としての前記特別態様は、前記第１受付許容状態、前記第２受付許容状態、及び前記第３受付許容状態のうち前記第２受付許容状態が発生する場合にのみ現れうるが、該第２受付許容状態が発生する場合には、前記摸画像表示として前記特別態様とは異なる態様が現れる場合もあるようになっており、
前記残り時間示唆描写は、前記第１受付許容状態、前記第２受付許容状態、及び前記第３受付許容状態のうち、前記第１受付許容状態が発生する場合と前記第２受付許容状態が発生する場合とでは現れるが、前記第３受付許容状態が発生する場合には現れないようになっており、
さらに、
前記第１受付許容状態及び前記第２受付許容状態のいずれかが発生する場合は、操作機会が付与されることを示唆する受付許容音が可聴出力されうるが、前記第３受付許容状態が発生する場合は、操作機会が付与されることを示唆する前記受付許容音が可聴出力されないようになっており、
さらに、
前記第２受付許容状態が発生する場合、該第２受付許容状態に対応する前兆演出表示が当該第２受付許容状態の発生タイミングを跨るかたちで表示可能とされるとともに、当該第２受付許容状態で前記操作受付が発生すると前記摸画像表示が視認し難くされる消滅ＥＦ表示が表示可能とされており、
前記第２受付許容状態の発生タイミングを跨るかたちで表示可能とされる前記前兆演出表示が表示されているなかで前記操作受付が発生して前記消滅ＥＦ表示が表示される場合、該消滅ＥＦ表示が表示開始される時点において、前記前兆演出表示は非表示の状態にされておらず表示されているが、該前兆演出表示は、前記消滅ＥＦ表示に対してその背後側に見えるように表示されている
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を受ける操作受け部と、
操作機会が付与される受付許容状態を発生可能であり、該受付許容状態において操作受付されると表示変化を生じさせる操作受付手段と、
前記受付許容状態において、操作機会が付与される対象である操作受け部を摸した摸画像表示を表示可能な摸画像表示手段と
を備え、
前記摸画像表示として、特別態様を含む複数態様が用意されており、
前記受付許容状態では、時間経過に応じて表示面積が減少する残り時間示唆描写が現れうるようになっており、
前記受付許容状態には、
第１条件が満たされた場合に発生するものであり、操作が検出されると当該受付許容状態に対応する第１表示変化を生じさせるが、操作が検出されないときには当該受付許容状態に対応する第１表示変化を生じさせない第１受付許容状態、
第２条件が満たされた場合に発生するものであり、操作が検出されると当該受付許容状態に対応する第２表示変化を生じさせ、操作が検出されないときにも当該受付許容状態に対応する第２表示変化を生じさせる第２受付許容状態、及び
第３条件が満たされた場合に発生するものであり、操作が検出されると当該受付許容状態に対応する第３表示変化を生じさせるが、操作が検出されないときには当該受付許容状態に対応する第３表示変化を生じさせない第３受付許容状態、
が含まれており、
前記摸画像表示としての前記特別態様は、前記第１受付許容状態、前記第２受付許容状態、及び前記第３受付許容状態のうち前記第２受付許容状態が発生する場合にのみ現れうるが、該第２受付許容状態が発生する場合には、前記摸画像表示として前記特別態様とは異なる態様が現れる場合もあるようになっており、
前記残り時間示唆描写は、前記第１受付許容状態、前記第２受付許容状態、及び前記第３受付許容状態のうち、前記第１受付許容状態が発生する場合と前記第２受付許容状態が発生する場合とでは現れるが、前記第３受付許容状態が発生する場合には現れないようになっており、
さらに、
前記第１受付許容状態及び前記第２受付許容状態のいずれかが発生する場合は、操作機会が付与されることを示唆する受付許容音が可聴出力されうるが、前記第３受付許容状態が発生する場合は、操作機会が付与されることを示唆する前記受付許容音が可聴出力されないようになっており、
さらに、
前記第２受付許容状態が発生する場合、該第２受付許容状態に対応する前兆演出表示が当該第２受付許容状態の発生タイミングを跨るかたちで表示可能とされるとともに、当該第２受付許容状態で前記操作受付が発生すると前記摸画像表示が視認し難くされる消滅ＥＦ表示が表示可能とされており、
前記第２受付許容状態の発生タイミングを跨るかたちで表示可能とされる前記前兆演出表示が表示されているなかで前記操作受付が発生して前記消滅ＥＦ表示が表示される場合、該消滅ＥＦ表示が表示開始される時点において、前記前兆演出表示は非表示の状態にされておらず表示されているが、該前兆演出表示は、前記消滅ＥＦ表示に対してその背後側に見えるように表示されている
ことを特徴とする遊技機。
【手続補正４】
【補正対象書類名】明細書
【補正対象項目名】０００８
【補正方法】削除
【補正の内容】
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて図柄変動を実行する図柄変動手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される第１受付期間を発生可能であり、該第１受付期間内において遊技者による操作が受付けされると、該受付けがなされたことに基づいて、期待度が異なる複数態様のいずれかで第１受付後演出表示を実行可能な第１受付演出実行手段と、
前記操作手段に対する操作の受付けが許容される第２受付期間を発生可能であり、該第２受付期間内において遊技者による操作が受付けされると、該受付けがなされたことに基づいて、期待度が異なる複数態様のいずれかで第２受付後演出表示を実行可能な第２受付演出実行手段と
を備え、
前記第１受付期間内において遊技者による操作が受付けされた場合、前記摸画像表示が表示されているなかで、該摸画像表示が視認し難くなる態様を、前記第１受付後演出表示とは異なる第１消滅表示態様として出現可能であり、
前記第２受付期間内において遊技者による操作が受付けされた場合、前記摸画像表示が表示されているなかで、該摸画像表示が視認し難くなる態様を、前記第２受付後演出表示とは異なる第２消滅表示態様として出現可能であり、
前記第１消滅表示態様は、前記第１受付後演出表示が前記複数態様のうち低期待態様で表示される場合と該低期待態様よりも期待度の高い高期待態様で表示される場合とのいずれの場合であっても出現可能とされるが、前記第２消滅表示態様は、前記第２受付後演出表示が前記複数態様のうち低期待態様で表示される場合と該低期待態様よりも期待度の高い高期待態様で表示される場合とのうち前記高期待態様で表示される場合に限り出現可能とされ、
前記第１消滅表示態様は、前記第１受付期間内において遊技者による操作が受付けされたときには、前記第１受付後演出表示が前記低期待態様及び前記高期待態様のいずれで表示される場合であっても出現可能とされるが、前記第１受付期間内において遊技者による操作が受付けされなかった場合には出現しないようになっており、
さらに、
前記第２受付期間が発生するのに先立って特定の操作関連表示を表示可能であり、該特定の操作関連表示は、前記第２受付期間が発生するタイミングに跨るかたちで実行可能とされており、
前記特定の操作関連表示が表示されているときに前記第２受付期間内で前記操作手段に対する操作が受付けされると、前記第２消滅表示態様が実行されるときに前記特定の操作関連表示は非表示の状態にされておらず該第２消滅表示態様によって視認し難くされるかたちで表示可能とされる
ことを特徴とする遊技機。
【請求項２】
前記第１消滅表示態様及び前記第２消滅表示態様は同じ態様である
請求項１に記載の遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて図柄変動を実行する図柄変動手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される第１受付期間を発生可能であり、該第１受付期間内において遊技者による操作が受付けされると、該受付けがなされたことに基づいて、期待度が異なる複数態様のいずれかで第１受付後演出表示を実行可能な第１受付演出実行手段と、
前記操作手段に対する操作の受付けが許容される第２受付期間を発生可能であり、該第２受付期間内において遊技者による操作が受付けされると、該受付けがなされたことに基づいて、期待度が異なる複数態様のいずれかで第２受付後演出表示を実行可能な第２受付演出実行手段と
を備え、
前記第１受付期間内において遊技者による操作が受付けされた場合、前記摸画像表示が表示されているなかで、該摸画像表示が視認し難くなる態様を、前記第１受付後演出表示とは異なる第１消滅表示態様として出現可能であり、
前記第２受付期間内において遊技者による操作が受付けされた場合、前記摸画像表示が表示されているなかで、該摸画像表示が視認し難くなる態様を、前記第２受付後演出表示とは異なる第２消滅表示態様として出現可能であり、
前記第１消滅表示態様は、前記第１受付後演出表示が前記複数態様のうち低期待態様で表示される場合と該低期待態様よりも期待度の高い高期待態様で表示される場合とのいずれの場合であっても出現可能とされるが、前記第２消滅表示態様は、前記第２受付後演出表示が前記複数態様のうち低期待態様で表示される場合と該低期待態様よりも期待度の高い高期待態様で表示される場合とのうち前記高期待態様で表示される場合に限り出現可能とされ、
前記第１消滅表示態様は、前記第１受付期間内において遊技者による操作が受付けされたときには、前記第１受付後演出表示が前記低期待態様及び前記高期待態様のいずれで表示される場合であっても出現可能とされるが、前記第１受付期間内において遊技者による操作が受付けされなかった場合には出現しないようになっており、
さらに、
前記第２受付期間が発生するのに先立って特定の操作関連表示を表示可能であり、該特定の操作関連表示は、前記第２受付期間が発生するタイミングに跨るかたちで実行可能とされており、
前記特定の操作関連表示が表示されているときに前記第２受付期間内で前記操作手段に対する操作が受付けされると、前記第２消滅表示態様が実行されるときに前記特定の操作関連表示は非表示の状態にされておらず該第２消滅表示態様によって視認し難くされるかたちで表示可能とされる
ことを特徴とする遊技機。
【手続補正４】
【補正対象書類名】明細書
【補正対象項目名】０００８
【補正方法】削除
【補正の内容】
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される第１受付期間を発生可能であり、該第１受付期間内において遊技者による操作が受付けされると、該受付けがなされたことに基づいて第１受付後演出を実行可能な第１受付演出実行手段と、
前記操作手段に対する操作の受付けが許容される第２受付期間を発生可能であり、該第２受付期間内において遊技者による操作が受付けされると、該受付けがなされたことに基づいて第２受付後演出を実行可能な第２受付演出実行手段と
を備え、
前記第１受付後演出では、少なくとも、期待度が異なる複数態様のいずれかで第１受付後演出表示が実行可能されるとともに、前記摸画像表示が表示されているなかで、該摸画像表示が視認し難くなる態様を、前記第１受付後演出表示とは異なる第１消滅表示態様として出現可能であり、
前記第２受付後演出では、少なくとも、期待度が異なる複数態様のいずれかで第２受付後演出表示が実行可能されるとともに、前記摸画像表示が表示されているなかで、該摸画像表示が視認し難くなる態様を、前記第２受付後演出表示とは異なる第２消滅表示態様として出現可能であり、
前記第１消滅表示態様は、前記第１受付後演出表示が前記複数態様のうち低期待態様で表示される場合と該低期待態様よりも期待度の高い高期待態様で表示される場合とのいずれの場合であっても出現可能とされるが、前記第２消滅表示態様は、前記第２受付後演出表示が前記複数態様のうち低期待態様で表示される場合と該低期待態様よりも期待度の高い高期待態様で表示される場合とのうち前記高期待態様で表示される場合に限り出現可能とされ、
前記第２受付期間が発生するのに先立って特定の操作関連表示を表示可能であり、該特定の操作関連表示は、前記第２受付期間が発生するタイミングに跨るかたちで実行可能とされており、
前記第２受付期間内で前記操作手段に対する操作が受付けされると、前記第２消滅表示態様が実行開始される時点において前記特定の操作関連表示は非表示の状態にされている場合がなく、必ず表示されている
ことを特徴とする遊技機。
【請求項２】
前記第１消滅表示態様及び前記第２消滅表示態様は同じ態様である
請求項１に記載の遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される第１受付期間を発生可能であり、該第１受付期間内において遊技者による操作が受付けされると、該受付けがなされたことに基づいて第１受付後演出を実行可能な第１受付演出実行手段と、
前記操作手段に対する操作の受付けが許容される第２受付期間を発生可能であり、該第２受付期間内において遊技者による操作が受付けされると、該受付けがなされたことに基づいて第２受付後演出を実行可能な第２受付演出実行手段と
を備え、
前記第１受付後演出では、少なくとも、期待度が異なる複数態様のいずれかで第１受付後演出表示が実行可能されるとともに、前記摸画像表示が表示されているなかで、該摸画像表示が視認し難くなる態様を、前記第１受付後演出表示とは異なる第１消滅表示態様として出現可能であり、
前記第２受付後演出では、少なくとも、期待度が異なる複数態様のいずれかで第２受付後演出表示が実行可能されるとともに、前記摸画像表示が表示されているなかで、該摸画像表示が視認し難くなる態様を、前記第２受付後演出表示とは異なる第２消滅表示態様として出現可能であり、
前記第１消滅表示態様は、前記第１受付後演出表示が前記複数態様のうち低期待態様で表示される場合と該低期待態様よりも期待度の高い高期待態様で表示される場合とのいずれの場合であっても出現可能とされるが、前記第２消滅表示態様は、前記第２受付後演出表示が前記複数態様のうち低期待態様で表示される場合と該低期待態様よりも期待度の高い高期待態様で表示される場合とのうち前記高期待態様で表示される場合に限り出現可能とされ、
前記第２受付期間が発生するのに先立って特定の操作関連表示を表示可能であり、該特定の操作関連表示は、前記第２受付期間が発生するタイミングに跨るかたちで実行可能とされており、
前記第２受付期間内で前記操作手段に対する操作が受付けされると、前記第２消滅表示態様が実行開始される時点において前記特定の操作関連表示は非表示の状態にされている場合がなく、必ず表示されている
ことを特徴とする遊技機。
【手続補正４】
【補正対象書類名】明細書
【補正対象項目名】０００８
【補正方法】削除
【補正の内容】
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付後演出では、前記摸画像表示を視認し難くする消滅エフェクト表示と、期待度を示唆する期待演出表示とが少なくとも実行可能とされる遊技機であって、
前記受付期間として、第１の受付期間及び第２の受付期間が用意されており、
前記第１の受付期間内で遊技者による操作の受付けがなされた場合は、該受付けに応じた受付後演出が実行可能とされ、該受付後演出のうち前記消滅エフェクト表示が表示開始される時点においては、当該第１の受付期間に対応する操作関連演出表示が非表示の状態にされておらず表示されている場合と、当該第１の受付期間に対応する操作関連演出表示が非表示の状態にある場合との両方があるようになっており、
前記第２の受付期間内で遊技者による操作の受付けがなされた場合は、該受付けに応じた受付後演出が実行可能とされ、該受付後演出のうち前記消滅エフェクト表示が表示開始される時点においては、当該第２の受付期間に対応する操作関連演出表示が非表示の状態にある場合がなく、必ず表示されているようになっており、
前記第１の受付期間に対応する前記受付後演出のうち前記消滅エフェクト表示が表示開始される時点において前記操作関連演出表示が非表示の状態にされておらず表示されている場合、該操作関連演出表示は、前記消滅エフェクト表示によって視認し難くされている
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付後演出では、前記摸画像表示を視認し難くする消滅エフェクト表示と、期待度を示唆する期待演出表示とが少なくとも実行可能とされる遊技機であって、
前記受付期間として、第１の受付期間及び第２の受付期間が用意されており、
前記第１の受付期間内で遊技者による操作の受付けがなされた場合は、該受付けに応じた受付後演出が実行可能とされ、該受付後演出のうち前記消滅エフェクト表示が表示開始される時点においては、当該第１の受付期間に対応する操作関連演出表示が非表示の状態にされておらず表示されている場合と、当該第１の受付期間に対応する操作関連演出表示が非表示の状態にある場合との両方があるようになっており、
前記第２の受付期間内で遊技者による操作の受付けがなされた場合は、該受付けに応じた受付後演出が実行可能とされ、該受付後演出のうち前記消滅エフェクト表示が表示開始される時点においては、当該第２の受付期間に対応する操作関連演出表示が非表示の状態にある場合がなく、必ず表示されているようになっており、
前記第１の受付期間に対応する前記受付後演出のうち前記消滅エフェクト表示が表示開始される時点において前記操作関連演出表示が非表示の状態にされておらず表示されている場合、該操作関連演出表示は、前記消滅エフェクト表示によって視認し難くされている
ことを特徴とする遊技機。
【手続補正４】
【補正対象書類名】明細書
【補正対象項目名】０００８
【補正方法】削除
【補正の内容】
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付期間として、特定の受付期間が用意されており、
前記操作関連演出表示が表示状態にあるときに前記特定の受付期間内で遊技者による操作の受付けがなされた場合、該受付けに応じた受付後演出として、前記操作関連演出表示に対してその前側から重なって見える前側演出表示と、前記操作関連演出表示に対してその背後側から重なって見える背後側演出表示とが、前記操作関連演出表示が非表示にされるまでの間に少なくとも表示可能とされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段を摸した摸画像表示を表示可能な摸画像表示手段と、
前記操作手段に対する操作の受付けが許容される受付期間を発生可能であり、該受付期間内において操作が受付けされると、該受付けがなされたことに基づいて受付後演出を実行可能な受付演出実行手段と、
前記受付期間が発生する場合、該受付期間が発生するよりも前から該受付期間の発生タイミングを跨るかたちで操作関連演出表示を表示可能な操作関連演出表示手段と
を備え、
前記受付期間として、特定の受付期間が用意されており、
前記操作関連演出表示が表示状態にあるときに前記特定の受付期間内で遊技者による操作の受付けがなされた場合、該受付けに応じた受付後演出として、前記操作関連演出表示に対してその前側から重なって見える前側演出表示と、前記操作関連演出表示に対してその背後側から重なって見える背後側演出表示とが、前記操作関連演出表示が非表示にされるまでの間に少なくとも表示可能とされる
ことを特徴とする遊技機。
【手続補正４】
【補正対象書類名】明細書
【補正対象項目名】０００８
【補正方法】削除
【補正の内容】